(57)【要約】  【課題】  簡単な構成で容易にイオン発生量の減少を防止することができるとともに使用性を向上できる空気調和機を提供する。  【解決手段】  吹出口１３にイオン発生装置８を備えた空気調和機１において、イオン発生装置８のイオン発生面８ａに摺動する清掃具２２を有する磁性体３１と、磁性体３１から延びたシャフトを介して磁性体３１を移動可能なようにガイドするガイド部３４と、磁性体３１の移動範囲の両端に配されて通電により磁性体３１を吸引する電磁石と３２、３３と、を有する清掃部３０を備え、電磁石３２、３３に交互に通電することによって磁性体３１を往復運動させて清掃具２２によりイオン発生面８ａの清掃を行うようにした。【選択図】      図６
2005201460.tif 000002
【特許請求の範囲】
【請求項１】
室内に送出されるイオンを発生するイオン発生面を有したイオン発生装置と、前記イオン発生面の表面を清掃する清掃手段とを備えたことを特徴とする空気調和機。
【請求項２】
前記清掃手段は、前記イオン発生面と摺動可能な清掃具と、使用者の操作により前記清掃具を移動させる操作部と、前記清掃具の移動によって前記イオン発生装置の電源の通電と遮断とを行う接点部とを有することを特徴とする請求項１に記載の空気調和機。
【請求項３】
前記清掃手段を覆うとともに前記操作部が突出する格子状のカバーを設けたことを特徴とする請求項２に記載の空気調和機。
【請求項４】
前記清掃手段は、前記イオン発生面と摺動可能な清掃具と、通電により前記清掃具を移動させる移動手段とを有することを特徴とする請求項１に記載の空気調和機。
【請求項５】
前記移動手段は、前記清掃具を設置する磁性体と、通電により発生する磁力によって前記磁性体を移動させる電磁石と、前記磁性体を案内するガイド部とを備えることを特徴とする請求項４に記載の空気調和機。
【請求項６】
前記磁性体を付勢する付勢手段を設け、前記電磁石によって前記清掃具を前記付勢手段に抗して移動させることを特徴とする請求項５に記載の空気調和機。
【請求項７】
空気調和機の運転開始時に前記移動手段に通電したことを特徴とする請求項４〜請求項６のいずれかに記載の空気調和機。
【請求項８】
空気調和機の前面に設けられた吸気口を有するとともに開閉自在に設けられたフロントパネルと、前記フロントパネルの内面側に着脱自在に配されて前記吸気口から流入する空気の塵埃を捕集するフィルターと、前記フロントパネルを開くとともに前記移動手段の通電を行う開閉スイッチとを備えたことを特徴とする請求項４〜請求項７のいずれかに記載の空気調和機。
【請求項９】
前記イオン発生面の汚濁状態を検知するゴミセンサーを備え、前記ゴミセンサーの検知結果に基づいて前記移動手段に通電したことを特徴とする請求項４〜請求項８のいずれかに記載の空気調和機。
【請求項１０】
前記イオン発生面の汚濁状態を検知するゴミセンサーと、前記ゴミセンサーの検知結果に応じて前記イオン発生面の状態を報知する報知手段とを備えたことを特徴とする請求項１〜請求項８のいずれかに記載の空気調和機。
【発明の詳細な説明】
【技術分野】
【０００１】
本発明は、室内を空気調和する空気調和機に関し、特に室内に送出されるイオンを発生するイオン発生装置を備えた空気調和機に関する。
【背景技術】
【０００２】
イオン発生装置を備えた従来の空気調和機は特許文献１に開示されている。この空気調和機は送風ファンの駆動によって筐体内に取り入れられた空気が熱交換器と熱交換する。吹出口近傍には電圧の印加によって針状電極からイオンを発生するイオン発生装置が設けられる。熱交換器と熱交換後の空気にはイオン発生装置の駆動によってイオンが含まれ、イオンを含んだ調和空気が室内に送出される。これにより、マイナスイオンによるリラクゼーション効果や、マイナスイオンとプラスイオンとによる殺菌効果を得ることができる。
【０００３】
室内の空気に含まれる塵埃がイオン発生装置のイオン発生面に付着すると、発生したイオンが塵埃と接触して消滅する。また、イオン発生面に結露が発生しても同様に発生したイオンが水滴と接触して消滅する。その結果、イオンの発生量が減少して充分なリラクゼーション効果や殺菌効果を得ることができない。
【０００４】
このため、吹出口に設けられる風向板を吹出位置以外の位置に移動することができる。これにより、風向板を移動して広く開口した吹出口を介してイオン発生装置のイオン発生面を清掃できるようになっている。従って、イオンの発生量の減少を防止することができる。
【特許文献１】特開２００３−６５５５７号公報（第４頁−第７頁、第３図）
【発明の開示】
【発明が解決しようとする課題】
【０００５】
しかしながら、上記従来の空気調和機によると、風向板を吹出位置以外の位置に移動させるために風向板の移動機構が複雑になり、空気調和機のコストがかかる問題があった。また、風向板を移動した後に使用者が用意した布等によってイオン発生装置の針状電極を清掃するため清掃作業が煩雑になり、空気調和機の使用性が悪い問題もあった。
【０００６】
本発明は、簡単な構成で容易にイオン発生量の減少を防止することができる空気調和機を提供することを目的とする。また、本発明は使用性を向上できる空気調和機を提供することを目的とする。
【課題を解決するための手段】
【０００７】
上記目的を達成するために本発明は、室内に送出されるイオンを発生するイオン発生面を有したイオン発生装置と、前記イオン発生面の表面を清掃する清掃手段とを備えたことを特徴としている。この構成によると、イオン発生面に塵埃の付着や結露が生じると、清掃手段の手動操作または自動操作によってイオン発生面の表面が清掃される。
【０００８】
また本発明は、上記構成の空気調和機において、前記清掃手段は、前記イオン発生面と摺動可能な清掃具と、使用者の操作により前記清掃具を移動させる操作部と、前記清掃具の移動によって前記イオン発生装置の電源の通電と遮断とを行う接点部とを有することを特徴としている。
【０００９】
この構成によると、操作部の操作によって清掃具を移動させるとイオン発生装置の電源が遮断され、イオン発生面上をブラシや布等から成る清掃具が摺動移動してイオン発生面が清掃される。清掃が終了して清掃具を元の位置に戻すとイオン発生装置に通電され、イオンが発生する。清掃手段を覆うとともに操作部が突出する格子状のカバーを設けるとよい。
【００１０】
また本発明は、上記構成の空気調和機において、前記清掃手段は、前記イオン発生面と摺動可能な清掃具と、通電により前記清掃具を移動させる移動手段とを有することを特徴としている。この構成によると、所定の時期に移動手段に通電されるとイオン発生面上を清掃具が摺動移動してイオン発生面が清掃される。
【００１１】
また本発明は、上記構成の空気調和機において、前記移動手段は、前記清掃具を設置する磁性体と、通電により発生する磁力によって前記磁性体を移動させる電磁石と、前記磁性体を案内するガイド部とを備えることを特徴としている。この構成によると、電磁石に通電すると磁性体が吸引または反発してガイド部の案内により磁性体とともに清掃具が移動する。これにより、イオン発生面上を清掃具が摺動移動する。
【００１２】
また本発明は、上記構成の空気調和機において、磁性体を付勢する付勢手段を設け、電磁石によって清掃具を付勢手段に抗して移動させたことを特徴としている。この構成によると、電磁石に通電すると磁性体が吸引または反発して清掃具が一方向に移動し、電磁石の電源を遮断すると付勢手段により清掃具が元の位置に戻る。
【００１３】
また本発明は、上記構成の空気調和機において、空気調和機の運転開始時に前記移動手段に通電したことを特徴としている。この構成によると、空気調和機の運転を開始すると移動手段によって清掃具が移動してイオン発生面の清掃が行われる。
【００１４】
また本発明は、上記構成の空気調和機において、空気調和機の前面に設けられた吸気口を有するとともに開閉自在に設けられたフロントパネルと、前記フロントパネルの内面側に着脱自在に配されて前記吸気口から流入する空気の塵埃を捕集するフィルターと、前記フロントパネルを開くとともに前記移動手段の通電を行う開閉スイッチとを備えたことを特徴としている。この構成によると、フィルターの交換や清掃のために開閉スイッチを操作してフロントパネルを開くと移動手段に通電され、清掃具が移動してイオン発生面の清掃が行われる。
【００１５】
また本発明は、上記構成の空気調和機において、前記イオン発生面の汚濁状態を検知するゴミセンサーを備え、前記ゴミセンサーの検知結果に基づいて前記移動手段に通電したことを特徴としている。この構成によると、ゴミセンサーによってイオン発生面に塵埃や結露が付着したことを検知すると、移動手段によって清掃具が移動してイオン発生面の清掃が行われる。
【００１６】
また本発明は、上記構成の空気調和機において、前記イオン発生面の汚濁状態を検知するゴミセンサーと、前記ゴミセンサーの検知結果に応じて前記イオン発生面の状態を報知する報知手段とを備えたことを特徴としている。この構成によると、ゴミセンサーによってイオン発生面に塵埃や結露が付着したことを検知すると、報知手段によってイオン発生面の清掃が必要であることを報知する。
【発明の効果】
【００１７】
本発明によると、面状のイオン発生面を清掃する清掃手段を有するので、容易にイオン発生面を清掃してイオン発生量の減少を防止することができるとともに、清掃するために布等を用意する必要がなく空気調和機の使用性を向上することができる。
【００１８】
また本発明によると、清掃手段は、イオン発生面と摺動可能な清掃具と、使用者の操作により清掃具を移動させる操作部と、清掃具の移動によってイオン発生装置の電源の通電と遮断とを行う接点部とを有するので、操作部の操作によって簡単にイオン発生面を清掃できるとともに、清掃時にイオン発生装置の電源が遮断されるので使用者の危険を回避することができる。
【００１９】
また本発明によると、清掃手段を覆うとともに操作部が突出する格子状のカバーを設けるたので、イオン発生装置の露出を防止して安全性を向上できる。また、カバーやフロントパネル等の脱着等を必要とせず、格子状のカバーから突出した操作部の操作によって簡単にイオン発生面を清掃できる。
【００２０】
また本発明によると、清掃手段は、イオン発生面と摺動可能な清掃具と、通電により清掃具を移動させる移動手段とを有するので、使用者の手動による清掃作業を必要とせず、空気調和機の使用性を向上することができる。
【００２１】
また本発明によると、移動手段は、清掃具を設置する磁性体と、通電により発生する磁力によって磁性体を移動させる電磁石と、磁性体を案内するガイド部とを備えるので、容易に清掃具をイオン発生面に摺動させることができる。
【００２２】
また本発明によると、電磁石によって清掃具を付勢手段に抗して移動させるので、電磁石のオンオフによって清掃具を簡単に往復運動させることができる。
【００２３】
また本発明によると、空気調和機の運転開始時に移動手段に通電したので、使用者の操作を必要とせず、簡単にイオン発生面の塵埃や結露がない状態でイオン発生装置を駆動することができる。
【００２４】
また本発明によると、フロントパネルを開く開閉スイッチの操作により移動手段に通電されるので、フィルター交換等を行う際に使用者の特別な操作を必要とせず、簡単にイオン発生面を清掃することができる。
【００２５】
また本発明によると、ゴミセンサーの検知結果に基づいて移動手段に通電したので、使用者の操作を必要とせず、簡単にイオン発生面の塵埃や結露がない状態でイオン発生装置を駆動することができる。
【００２６】
また本発明によると、ゴミセンサーの検知結果に応じてイオン発生面の状態を報知する報知手段とを備えたので、報知手段によって報知された使用者が清掃を促されてイオン発生面を忘れずに清掃することができる。
【発明を実施するための最良の形態】
【００２７】
以下に本発明の実施形態を図面を参照して説明する。図１は第１実施形態の空気調和機を示す斜視図である。空気調和機１は前面がフロントパネル３で覆われている。フロントパネル３には吸気口３ａ（図２参照）が形成され、フロントパネル３の下方には吹出口１３が設けられる。
【００２８】
図２は空気調和機１の側面断面図を示している。空気調和機１の内部には吸気口３ａから吹出口１３に至る送風経路１４が形成されている。送風経路１４内には熱交換器４及び送風ファン５が配されている。送風ファン５の駆動によって吸気口３ａから取り入れられた室内の空気が送風経路１４を流通して吹出口１３から送出される。熱交換器４は吸気口３ａから侵入する空気と熱交換して調和空気を生成する。
【００２９】
熱交換器４とフロントパネル３との間には吸気口３ａから取り入れた空気に含まれた塵埃を捕集するフィルター１８が設けられている。フロントパネル３はフロントパネル３に設けられた開閉スイッチ１２（図１参照）の操作によって回動して下部が開き、フィルター１８の交換や清掃を行うことができるようになっている。
【００３０】
吹出口１３には室内に送出される空気の風向を可変する縦ルーバ６及び横ルーバ７が配されている。吹出口１３の上方にはイオン発生装置８が設けられている。イオン発生装置８は、図３に示すようにイオンを発生するイオン発生面８ａを有している。イオン発生面８ａが吹出口１３に面して配置され、吹出口１３に向けてイオンを放出する。
【００３１】
従って、吹出口１３からイオンを含んだ調和空気が室内に送出される。これにより、マイナスイオンによるリラクゼーション効果や、マイナスイオンとプラスイオンとによる殺菌効果を得ることができる。また、イオン発生装置８の側方には、フロントパネル３の内面側に取り付けられたゴミセンサー１５（図４参照）が設けられている。
【００３２】
ゴミセンサー１５はイオン発生面８ａに付着した塵埃や結露等による汚濁状態を検知する。ゴミセンサー１５によりイオン発生面８ａの汚濁を検知すると、フロントパネル３に設けられたＬＥＤ１７（報知手段、図１参照）を点灯して報知するようになっている。これにより、イオン発生面８ａの清掃を使用者に促すことができる。
【００３３】
イオン発生装置８のイオン発生面８ａは吹出口１３の上壁に取り付けられた格子状のカバー９で覆われている。これにより、高圧となるイオン発生面８ａに使用者が接触することを防止して安全性が確保されている。カバー９内にはイオン発生面８ａを清掃する清掃部２０（清掃手段）が配されている。格子状のカバー９からは清掃部２０を手動操作する操作部２１ａが突出している。
【００３４】
図４、図５は清掃部２０の底面図及び側面断面図を示している。清掃部２０はレバー状のレバー部材２１を有し、レバー部材２１の一端が操作部２１ａになっている。レバー部材２１の上面にはブラシや布等から成る清掃具２２がイオン発生面８ａに接するように設けられている。本体筐体には長孔１９ｂを有した案内部１９が設けられている。レバー部材２１は長孔１９ｂに嵌合し、長孔１９ｂの案内によりスライド移動可能になっている。
【００３５】
レバー部材２１を押し込んだ位置に配置すると、図５に示すように、案内部１９に設けられた押圧部２４、２５がレバー部材２１を上下から付勢してレバー部材２１が固定される。レバー部材２１を引き出した位置に配置すると、図４に示すように、押圧部２５がレバー部材２１を上下から付勢してレバー部材２１が回動可能に支持される。
【００３６】
案内部１９の前部には薄板状の薄板部１９ａが形成されている。レバー部材２１の回動時には、レバー部材２１に形成された溝部２１ｂに薄板部１９ａが挿通して干渉しないようになっている。
【００３７】
レバー部材２１の回動中心には導電性の接点部２３が設けられている。奥側の押圧部２４は導電性部材により形成され、上下の押圧部２４にはそれぞれリード線２４ａ、２４ｂが接続されている。リード線２４ａ、２４ｂはイオン発生装置８の電源供給用の回路に接続されている。レバー部材２１が押し込んだ位置に配置されると接点部２３によりリード線２４ａ、２４ｂ間が導通する。これにより、イオン発生装置８に電源が供給可能になっている。
【００３８】
レバー部材２１が引き出した位置に配置されるとリード線２４ａ、２４ｂの導通が遮断され、イオン発生装置８に電力供給が停止される。そして、操作部２１ａの操作によって接点部２３を中心にレバー部材２１を矢印Ａに示すように回動させると、清掃具２２がイオン発生面８ａを摺動してイオン発生面８ａが清掃される。
【００３９】
本実施形態によると、イオン発生面８ａの清掃時に布等を用意する必要がなくイオン発生面８ａを容易に清掃することができ、空気調和機１の使用性を向上することができる。また、イオン発生装置８に供給される高圧の電源が清掃時に遮断されるので使用者の安全性を向上することができる。
【００４０】
また、操作部２１ａがカバー９から突出して設けられるので、カバー９やフロントパネル３を脱着せずにイオン発生面８ａを清掃することができる。従って、格子状のカバー９から突出した操作部２１ａの操作によって簡単にイオン発生面８ａを清掃できるとともにより安全性を向上することができる。
【００４１】
次に、図６は第２実施形態の空気調和機の要部を示す側面断面図である。説明の便宜上、前述の図１〜図５に示す第１実施形態と同一の部分は同一の符号を付している。本実施形態はイオン発生装置８の上方を覆う上部カバー２８が設けられ、清掃部３０の構成が第１実施形態の清掃部２０と異なっている。その他の部分は第１実施形態と同様である。
【００４２】
清掃部３０は第１実施形態と同様の清掃具２２が設けられた磁性体３１を有している。磁性体３１にはシャフト部３１ａが突設され、シャフト部３１ａは上部カバー２８に一体形成されたガイド部３４に嵌合する。これにより、磁性体３１はガイド部３４の案内によって紙面に垂直な方向に往復移動できるようになっている。
【００４３】
図７は清掃部３０の底面図を示している。磁性体３１の移動方向の両端には通電により磁力を発生する電磁石３２、３３が設けられる。電磁石３２を遮電して電磁石３３に通電すると磁性体３１は矢印Ｂ１に示すように電磁石３３に吸引される。電磁石３３を遮電して電磁石３２に通電すると矢印Ｂ２に示すように磁性体３１は電磁石３２に吸引される。従って、清掃部３０の駆動によって磁性体３１及び電磁石３２、３３により清掃具２２を移動させる移動手段が構成される。磁性体３１に着磁して電磁石３２、３３の反発力により磁性体３１を移動させてもよい。
【００４４】
図８に示すように、上部カバー２８の側部にはイオン発生面８ａの汚濁状態を検知するゴミセンサー１５が取り付けられる。ゴミセンサー１５によりイオン発生面８ａに塵埃や結露が付着したことを検知すると、ＬＥＤ１７（図１参照）が点灯するとともに電磁石３２、３３に交互に通電される。
【００４５】
これにより、磁性体３１が往復運動して清掃具２２がイオン発生面８ａに摺動し、イオン発生面８ａの清掃が行われる。また、ＬＥＤ１７により使用者は清掃中であることを認知できる。所定回数だけ磁性体３１が往復運動すると電磁石３２、３３への通電が停止され、ＬＥＤ１７が消灯される。
【００４６】
本実施形態によると、通電により清掃具２２を移動させる電磁石３２、３３を有するので、使用者による清掃作業を必要とせず、空気調和機１の使用性を向上することができる。また、ゴミセンサー１５の検知により清掃部３０が駆動されるので、使用者の操作を省いてより使用性を向上することができる。空気調和機１の運転開始時に清掃部３０が駆動されるようにしても使用者の操作を省くことができる。
【００４７】
また、フロントパネル３に設けられた開閉スイッチ１２（図１参照）の操作によって清掃部３０が駆動されるようにしてもよい。これにより、フィルター１８（図２参照）の交換や清掃等を行う際に使用者の特別な操作を必要とせず、簡単にイオン発生面８ａを清掃することができる。
【００４８】
次に、図９は第３実施形態の空気調和機の清掃部を示す底面図である。説明の便宜上、前述の図６〜図８に示す第２実施形態と同一の部分は同一の符号を付している。第２実施形態に対して本実施形態の異なる点は、電磁石３２（図７参照）を省き、上部カバー２９（図６参照）に設けられたリブ２９と磁性体３１のシャフト３１ａとの間に引張りバネ３５が取り付けられている。その他の部分は第２実施形態と同様である。
【００４９】
電磁石３３に通電すると引張りバネ３５の付勢力に抗して磁性体３１は矢印Ｂ１に示すように電磁石３３に吸引される。電磁石３３を遮電すると引張りバネ３５の付勢力により矢印Ｂ２に示すように磁性体３１は電磁石３３から離れる。従って、清掃部３０の駆動により磁性体３１、電磁石３３、引張りバネ３５によって清掃具２２を移動させる移動手段が構成される。引張りバネ３５に替えて圧縮バネを用いてもよく、磁性体３１に着磁して電磁石３３の反発力により磁性体３１を移動させてもよい。
【００５０】
本実施形態によると、第２実施形態と同様の効果を得ることができるとともに、電磁石３２（図７参照）を省いてコスト削減を図ることができる。
【図面の簡単な説明】
【００５１】
【図１】は、本発明の第１実施形態の空気調和機を示す斜視図である。
【図２】は、本発明の第１実施形態の空気調和機を示す側面断面図である。
【図３】は、本発明の第１実施形態の空気調和機のイオン発生装置を示す斜視図である。
【図４】は、本発明の第１実施形態の空気調和機の清掃部を示す底面図である。
【図５】は、本発明の第１実施形態の空気調和機の清掃部を示す側面断面図である。
【図６】は、本発明の第２実施形態の空気調和機の要部を示す側面断面図である。
【図７】は、本発明の第２実施形態の空気調和機の清掃部を示す底面図である。
【図８】は、本発明の第２実施形態の空気調和機の上部カバーを示す斜視図である。
【図９】は、本発明の第３実施形態の空気調和機の清掃部を示す底面図である。
【符号の説明】
【００５２】
１    空気調和機
３    フロントパネル
４    熱交換器
５    送風機
６    縦ルーバ
７    横ルーバ
８    イオン発生装置
８ａ  イオン発生面
９    カバー
１２    開閉スイッチ
１３    吹出口
１４    送風経路
１５    ゴミセンサー
１７    ＬＥＤ
１８    フィルター
１９    案内部
２０、３０  清掃部
２１    レバー部材
２１ａ  操作部
２２    清掃具
２３    接点部
２４、２５  押圧部
２４ａ  リード線
２８    上部カバー
３１    磁性体
３１ａ  シャフト
３２、３３  電磁石
３４    ガイド部
３５    引張りバネ
【図１】
2005201460.tif 000003
【図２】
2005201460.tif 000004
【図３】
2005201460.tif 000005
【図４】
2005201460.tif 000006
【図５】
2005201460.tif 000007
【図６】
2005201460.tif 000008
【図７】
2005201460.tif 000009
【図８】
2005201460.tif 000010
【図９】
2005201460.tif 000011